(57)【要約】【課題】密着イメージセンサの組み立て作業が容易するように、光源モジュールを簡単に固定できるようにする密着イメージセンサの光源固定機構および密着イメージセンサを提供する。【解決手段】実施形態の光源モジュール固定機構は、主走査方向に長いハウジングと、前記ハウジング内に収納される光源モジュールと、前記光源モジュールの両端に貼り付けられた弾性部材と、前記ハウジングを覆うガラスと、前記ハウジングと前記ガラスを固定するガラスホルダと、を有している。そして、前記弾性部材が貼り付けられた前記光源モジュールを前記ハウジング内に収納した状態で、前記ガラスホルダによって前記ガラスを前記ハウジングに固定すると、前記光源モジュールも同時に固定できる。【選択図】  図５
2012178225.tif 000002
【特許請求の範囲】
【請求項１】
主走査方向に長いハウジングと、
前記ハウジング内に収納される光源モジュールと、
前記光源モジュールの両端に貼り付けられた弾性部材と、
前記ハウジングを覆うガラスと、
前記ハウジングと前記ガラスを固定するガラスホルダと、
を有し、
前記弾性部材が貼り付けられた前記光源モジュールを前記ハウジング内に収納した状態で、前記ガラスホルダによって前記ガラスを前記ハウジングに固定すると、前記光源モジュールも同時に固定できることを特徴とする光源モジュール固定機構。
【請求項２】
前記ガラスホルダをバネ性のあるガラス固定用部品で構成し、前記ガラスを前記ハウジングに固定することを特徴とする請求項１に記載の光源モジュール固定機構。
【請求項３】
主走査方向に長いハウジングと、
前記ハウジング内に収納される光源モジュールと、
前記光源モジュールの両端に貼り付けられた弾性部材と、
前記ハウジングを覆うためのガラスと、そのガラスを固定する部材が設けられているガラス付き部材と、
を有し、
前記弾性部材が貼り付けられた前記光源モジュールを前記ハウジング内に収納した状態で、前記ガラス付き部材を前記ハウジングに固定すると、前記光源モジュールも同時に固定できることを特徴とする光源モジュール固定機構。
【請求項４】
前記弾性部材の反発力によって、前記光源モジュールが前記ハウジングに押さえつけられて固定されることを特徴とする請求項１又は請求項３に記載の光源モジュール固定機構。
【請求項５】
前記光源モジュールの両端に光源モジュール支持部を設け、
前記光源モジュール支持部の上面平坦部に前記弾性部材が貼り付けられていることを特徴とする請求項１又は請求項３に記載の光源モジュール固定機構。
【請求項６】
前記光源モジュールの照明部の有効照明長外の部分に、前記弾性部材が直接貼り付けられていることを特徴とする請求項１又は請求項３に記載の光源モジュール固定機構。
【請求項７】
前記弾性部材が貼り付けられる押し当て用部材を設け、
前記弾性部材が貼り付けられた前記押し当て用部材を前記光源モジュールの照明部の有効照明長外の部分に取り付けることを特徴とする請求項１又は請求項３に記載の光源モジュール固定機構。
【請求項８】
主走査方向に長いハウジングと、
前記ハウジングの中央部に設けられたロッドレンズアレイと、
前記ロッドレンズアレイと並行に前記ハウジング内に収納される光源モジュールと、
前記光源モジュールの両端に貼り付けられた弾性部材と、
前記ハウジングを覆うガラスと、
両端に前記弾性部材が貼り付けられた前記光源モジュールを前記ハウジング内に収納した状態で前記ガラスと前記ハウジングを固定すると共に、前記光源モジュールも同時に固定するガラスホルダと、
前記ハウジングの下面に取り付けられるセンサチップが実装されたセンサ基板と、
を有することを特徴とする密着イメージセンサ。
【請求項９】
主走査方向に長いハウジングと、
前記ハウジングの中央部に設けられたロッドレンズアレイと、
前記ロッドレンズアレイと並行に前記ハウジング内に収納される光源モジュールと、
前記光源モジュールの両端に貼り付けられた弾性部材と、
両端に前記弾性部材が貼り付けられた前記光源モジュールを前記ハウジング内に収納した状態で前記ハウジングに固定すると共に、前記光源モジュールも同時に固定するガラス付き部材と、
前記ハウジングの下面に取り付けられるセンサチップが実装されたセンサ基板と、
を有することを特徴とする密着イメージセンサ。
【発明の詳細な説明】
【技術分野】
【０００１】
本発明の実施形態は、密着イメージセンサに用いられる光源モジュールの固定機構およびその固定機構を備える密着イメージセンサに関するものである。
【背景技術】
【０００２】
画像形成装置などの画像読取装置には、密着イメージセンサが用いられている。この密着イメージセンサは、主走査方向に長いハウジング内に光源、ロッドレンズアレイが組み込まれている。ハウジングの上面は、ガラスで覆われており、両端部のガラスホルダによって固定されている。また、密着イメージセンサの下面には、光電変換素子（例えば、ＣＣＤやＣＭＯＳ）からなるセンサチップが実装されたセンサ基板が取り付けられている。
【先行技術文献】
【特許文献】
【０００３】
【特許文献１】特許第３６９３６６号公報
【発明の概要】
【発明が解決しようとする課題】
【０００４】
従来の密着イメージセンサの構造では、組み立て作業が大変であった。即ち、密着イメージセンサの組立において、短時間で光源モジュールの固定を完了させるためには、他の部品を固定する際に、光源モジュールも同時に固定できることができると、組み立て作業が向上するのであるが、従来の構造ではできなかった。
【０００５】
本発明が解決しようとする課題は、密着イメージセンサの組み立て作業が容易するように、光源モジュールを簡単に固定できるようにする密着イメージセンサの光源固定機構および密着イメージセンサを提供することにある。
【課題を解決するための手段】
【０００６】
第１の実施形態の光源モジュール固定機構は、主走査方向に長いハウジングと、前記ハウジング内に収納される光源モジュールと、前記光源モジュールの両端に貼り付けられた弾性部材と、前記ハウジングを覆うガラスと、前記ハウジングと前記ガラスを固定するガラスホルダと、を有し、前記弾性部材が貼り付けられた前記光源モジュールを前記ハウジング内に収納した状態で、前記ガラスホルダによって前記ガラスを前記ハウジングに固定すると、前記光源モジュールも同時に固定できることを特徴とする。
【０００７】
第２の実施形態の光源モジュール固定機構は、主走査方向に長いハウジングと、前記ハウジング内に収納される光源モジュールと、前記光源モジュールの両端に貼り付けられた弾性部材と、前記ハウジングを覆うためのガラスと、そのガラスを固定する部材が設けられているガラス付き部材と、を有し、前記弾性部材が貼り付けられた前記光源モジュールを前記ハウジング内に収納した状態で、前記ガラス付き部材を前記ハウジングに固定すると、前記光源モジュールも同時に固定できることを特徴とする。
【０００８】
第１の実施形態の密着イメージセンサは、主走査方向に長いハウジングと、前記ハウジングの中央部に設けられたロッドレンズアレイと、前記ロッドレンズアレイと並行に前記ハウジング内に収納される光源モジュールと、前記光源モジュールの両端に貼り付けられた弾性部材と、前記ハウジングを覆うガラスと、両端に前記弾性部材が貼り付けられた前記光源モジュールを前記ハウジング内に収納した状態で前記ガラスと前記ハウジングを固定すると共に、前記光源モジュールも同時に固定するガラスホルダと、前記ハウジングの下面に取り付けられるセンサチップが実装されたセンサ基板と、を有することを特徴とする。
【０００９】
第２の実施形態の密着イメージセンサは、主走査方向に長いハウジングと、前記ハウジングの中央部に設けられたロッドレンズアレイと、前記ロッドレンズアレイと並行に前記ハウジング内に収納される光源モジュールと、前記光源モジュールの両端に貼り付けられた弾性部材と、両端に前記弾性部材が貼り付けられた前記光源モジュールを前記ハウジング内に収納した状態で前記ハウジングに固定すると共に、前記光源モジュールも同時に固定するガラス付き部材と、前記ハウジングの下面に取り付けられるセンサチップが実装されたセンサ基板と、を有することを特徴とする。
【００１０】
第１および第２の実施形態によれば、密着イメージセンサの組立が簡素化されるので、生産性が著しく向上する。また、光源の固定に接着剤等を使用しないので、リサイクル性（解体性）に優れている。
【図面の簡単な説明】
【００１１】
【図１】第１の実施形態に係る密着イメージセンサの全体図を示す図。
【図２】第１の実施形態に係る密着イメージセンサ内に組み込まれている光源モジュールを示す図。
【図３】図２から光源モジュール支持部を取り除いた図。
【図４】第１の実施形態に係る光源モジュールをハウジングに取り付ける際の構造を示す図。
【図５】第１の実施形態に係る密着イメージセンサの組み立て構造を示す図。
【図６】組み立て作業によって、ハウジング内に光源モジュールを収納したときの形状を示し、右端側はハウジングを取り除いた形状を示す図。
【図７】図６の右端側の拡大した詳細断面図。
【図８】組み立て作業によって、図６の状態から、ガラスを上から覆った状態を示し、右端側はハウジング２０を取り除いた形状を示す図。
【図９】図８の右端側の拡大した詳細断面図。
【図１０】光源モジュール支持部の両端にそれぞれ１個ずつ弾性部材を貼り付けた構造を示す図。
【図１１】光源モジュール支持部を持たない光源モジュールを使う場合の密着イメージセンサの第１の組み立て図。
【図１２】光源モジュール支持部を持たない光源モジュールを使う場合の密着イメージセンサの第２の組み立て図。
【図１３】第２の実施形態に係る密着イメージセンサの組み立て図。
【図１４】第２の実施形態に係る密着イメージセンサの全体図。
【発明を実施するための形態】
【００１２】
以下、図面を参照しながら実施形態に係る密着イメージセンサの光源固定機構および密着イメージセンサについて説明する。
【００１３】
図１は、実施形態に係る光源固定機構を備えた密着イメージセンサの全体図を示している。密着イメージセンサ１０は、主走査方向に長い長方体のハウジング２０と、そのハウジング２０の上面を覆うガラス３０と、ハウジング２０とガラス３０とを、その両端部で固定するガラスホルダ４０，４０とで構成されている。ガラスホルダ４０，４０は、バネ性のあるアーチ状の形状を有するガラス固定用部品である。ガラスホルダ４０，４０は、ハウジング２０の両端左右に取り付けられる係合部材５０，５０に、アーチ形状の足部が係合する構造により固定される。
【００１４】
図２は、密着イメージセンサ１０内に組み込まれている光源モジュール６０を示している。また、図３は、図２から光源モジュール支持部９０，９０を取り除いた図を示している。
【００１５】
図２、図３において、光源モジュール６０は、ハウジング２０内に収納される程度に主走査方向に長い２本の照明部（光源）７０，７０と、各照明部７０，７０の異なる端部に設けられる光源用の基板８０，８０から構成されている。２本の照明部７０と７０の間は、後述するロッドレンズアレイと並行して収納するための隙間が設けられている。２本の照明部７０，７０は、光源モジュール支持部９０，９０によって支持され、かつ、接続されている。なお、ここでは、２本の照明部７０，７０を持つ構成としたが、照明部を片側に１本設ける構成の密着イメージセンサであってもよい。
【００１６】
光源モジュール支持部９０，９０は、基板８０，８０を含み照明部７０，７０の端面を覆うものである。ここでは、断面が数字の「７」の形状を有している。すなわち、下側の平坦面の方が上側の平坦面より主走査方向の長さが長い構造とするが、同じ長さでも良い。
【００１７】
なお、基板８０，８０は、光源の種類によっては、不要とするものもある。また、光源モジュール支持部９０，９０のない光源モジュールを使用することもできる。その場合は、図３に示す形状であり、２本の照明部７０，７０が分離している。
【００１８】
図４は、上述した光源モジュール６０をハウジング２０に取り付ける際の構造を示す図である。本実施形態では、両端にある光源モジュール支持部９０，９０の上面側の平坦面に、それぞれ２つの弾性部材１００，１００が貼り付けられている。
【００１９】
図５は、上述した形状を有する実施形態の密着イメージセンサ１０の組み立て構造を示す図である。ハウジング２０の内部中央部の長手方向には、照明部７０，７０の反射光を受けるロッドレンズアレイ１１０が設けられている。光源モジュール７０，７０は、このロッドレンズアレイ１１０を跨ぐように（即ち、左右の照明部７０，７０の間にロッドレンズアレイ１１０が位置するように並行に）ハウジング２０内に収納される。この時、光源モジュール６０の両端の光源モジュール支持部９０，９０もハウジング２０の両側内に位置するように収納される。
【００２０】
図６は、組み立て作業によって、ハウジング２０内に光源モジュール６０を収納したときの形状を示し、右端側はハウジング２０を取り除いた形状を示している。図７は、図６の右端側の拡大した詳細断面図を示している。図８は、組み立て作業によって、図６の状態から、ガラス３０を上から覆ったときの形状を示し、右端側はハウジング２０を取り除いた形状を示している。図９は、図８の右端側の拡大した詳細断面図を示している。
【００２１】
図７、図９において、１５０はロッドレンズアレイ１１０の直下に光電変換用のセンサチップ（図示せず）が実装される、主走査方向に長いセンサ基板である。したがって、センサ基板１５０の照明部７０側が光源受け面となる。また１６０は、センサ基板１５０をハウジング２０の下面に取り付けるための固定用リベットである。センサ基板２０の他方の端部も同じリベットにより固定されている。そして、ハウジング２０の上面の周りには、ガラス受け面１７０が形成されている。図６又は図７のガラス受け面１７０にガラス３０が載置されて、図８又は図９のように構成される。
【００２２】
図８又は図９に示すように、ガラスホルダ４０，４０のバネ性によって、ガラス３０がハウジング２０のガラス受け面に押し当てられると、ガラス２０と光源モジュール６０の間にある弾性部材１００，１００が圧縮状態になる。そして、弾性部材１００，１００の反発力によって、光源モジュール６０がハウジング２０の光源受け面部に押さえつけられて、光源モジュール６０が固定される。
【００２３】
このように、ガラスホルダ４０，４０によって、光源モジュール支持部９０，９０の上面平坦部に貼り付けられている弾性部材１００，１００の上向きの反発力よりも大きな力でガラス３０をハウジング２０に押し当てるので、ガラス３０がしっかりと固定できる構造となる。そして、ガラス３０の両端、即ち弾性部材１００，１００が位置する上からバネ性のあるガラスホルダ４０，４０で押さえつけ、ガラス３０をハウジング２０のガラス受け面部に固定する。
【００２４】
つまり、ガラス３０と光源モジュール６０の間にある弾性部材１００，１００が圧縮状態になり、この弾性部材１００，１００の反発力によって、光源モジュール６０がハウジング２０に押さえつけられて固定されることになる。ガラスホルダ４０，４０は、ハウジング２０の両側側面部の係合部材５０，５０に係合して固定される。
【００２５】
弾性部材１００，１００は、図５のように光源モジュールの両端にそれぞれ２個ずつ貼り付けてもよいし、図１０のように両端にそれぞれ１個ずつ貼り付けてもよい。
【００２６】
図１１は、光源モジュール支持部９０を持たない光源モジュールを使う場合の密着イメージセンサの第１の組み立て図を示している。光源モジュール支持部９０を持たない光源モジュールを使う場合は、光源モジュール６０の照明部７０，７０の両端付近（ただし、有効照明長外の部分）に、弾性部材１００ａ，１００ａを設置して、直接貼り付けるようにする。その他の組み立ては、図５と同じである。
【００２７】
図１２は、光源モジュール支持部９０を持たない光源モジュールを使う場合の密着イメージセンサの第２の組み立て図を示している。この例では、弾性部材１００ｂ，１００ｂを貼り付けることができる平坦面が形成されている押し当て用部材１８０を用意する構造としている。そして、照明部７０，７０をハウジング２０内に収納した状態で、光源モジュールの照明部７０，７０の両端付近に弾性部材１００ｂ，１００ｂを貼り付けた押し当て用部材１８０を取り付けるようにする。
【００２８】
このように本実施形態の密着イメージセンサの光源固機構では、光源モジュール６０の両端に弾性部材１００，１００を貼り付けておくことによって、ガラス３０をハウジング２０に固定する作業で、同時に光源モジュール６０もハウジング２０に固定することができる。
【００２９】
即ち、ガラス３０をハウジング２０に固定する場合は、ガラスホルダ４０（ガラス固定用部品）のバネ性によって、ガラス３０と光源モジュール６０の間にある弾性部材１００，１００が圧縮状態になり、この弾性部材１００，１００の反発力によって、光源モジュール６０がハウジングに押さえつけられて固定される。
【００３０】
図１３は、第２の実施形態に係る密着イメージセンサ１０の組み立て図を示している。また、図１４は第２の実施形態の組み立て後の全体図を示している。この第２の実施形態では、ガラスとガラスホルダとを一体的に構成したガラス付き部材２００とした点が第１の実施形態と異なっている。
【００３１】
このガラス付き部材２００は、ガラス３０の外周部に枠部を取り付けた形状となっている。その枠部の両端左右および左右の所定箇所には、ハウジング２０の側面に沿うように先端に係合爪が設けられた係合片２１０‥２１０が取り付けられている。各係合片２１０‥２１０は、ハウジング２０の両端左右の側面および左右の側面の所定箇所に設けられる係止部２２０‥２２０と咬み合って固定される。
【００３２】
この第２の実施形態の場合も、光源モジュール支持部９０，９０の上面平坦部には弾性部材１００，１００が貼り付けられている。したがって、ガラス付き部材２００の係合片２１０‥２１０がハウジング２０の係止部２２０‥２２０に咬み合う構造によって、弾性部材１００，１００の反発力によりも大きい力でガラス付き部材２００をハウジング２０に押し当てることができる。これにより、ガラス付き部材２００をハウジング２０にしっかりと固定することができる。
【００３３】
このように第２の実施形態でも、ガラス付き部材２００をハウジング２０の上から固定すると、ガラス付き部材２００係合片２１０‥２１０が、ハウジング２０の係止部２２０‥２２０と咬み合って固定される。具体的には、図１３および図１４の点線で囲まれた部分の構造によって、ガラス付き部材２００がハウジング２０に押し当てられる力が作用する。この力によって、ガラス付き部材２００と光源モジュール６００の間にある弾性部材１００，１００が圧縮状態になり、弾性部材１００，１００の反発力によって、光源モジュール６０がハウジング２０の光源受け面部に押さえつけられて、光源モジュール６０が固定される。
【００３４】
なお、第２の実施形態の光源モジュールを、図４に示した光源モジュール支持部を持たないものにも適用できることは言うまでもない。
【００３５】
本実施形態の密着イメージセンサによれば、密着イメージセンサの組立が簡素化されるので、生産性が向上する。また、光源の固定に接着剤等を使用しないので、リサイクル性（解体性）に優れる。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０‥密着イメージセンサ
２０‥ハウジング
３０‥ガラス
４０，４０‥ガラスホルダ
５０，５０‥係合部
６０‥光源モジュール
７０，７０‥照明部
８０，８０‥光源用の基板
９０，９０‥光源モジュール支持部
１００，１００ａ，１００ｂ‥弾性部材
１１０‥ロッドレンズアレイ
１５０‥センサ基板
１６０‥固定用リベット
１７０‥ハウジングのガラス受け面
１８０‥押し当て用部材
２００‥ガラス付き部材
２１０‥係合片
２２０‥係止部
【図１】
2012178225.tif 000003
【図２】
2012178225.tif 000004
【図３】
2012178225.tif 000005
【図４】
2012178225.tif 000006
【図５】
2012178225.tif 000007
【図６】
2012178225.tif 000008
【図７】
2012178225.tif 000009
【図８】
2012178225.tif 000010
【図９】
2012178225.tif 000011
【図１０】
2012178225.tif 000012
【図１１】
2012178225.tif 000013
【図１２】
2012178225.tif 000014
【図１３】
2012178225.tif 000015
【図１４】
2012178225.tif 000016